(57)【要約】【課題】曲面形状を有する表示装置において、導光板の熱膨張による変形に起因する表示品位の低下を抑える。【解決手段】表示装置は、中央側が両端側より表示面側に突出するように湾曲して形成されている曲面状の表示パネルと、表示パネルを保持する、中央側が両端側より表示面側に突出するように第１曲率半径で湾曲した形状を有する保持フレームと、保持フレームの背面側に配置され、中央側が両端側より表示面側に突出するように第２曲率半径で湾曲した形状を有する導光板と、導光板の背面側に配置され、中央側が両端側より表示面側に突出するように第３曲率半径で湾曲した形状を有する下フレームと、を備え、第１曲率半径と、第２曲率半径と、第３曲率半径とは、この順に小さくなっている。【選択図】図１
2017181817.tif 000002
【特許請求の範囲】
【請求項１】
中央側が両端側より表示面側に突出するように湾曲して形成されている曲面状の表示パネルと、
前記表示パネルの背面側に配置され、中央側が両端側より表示面側に突出するように湾曲した形状を有する導光板と、
前記表示パネルと前記導光板との間に配置されて前記表示パネルを背面側から支持すると共に中央側が両端側より表示面側に突出するように湾曲した形状を有する支持枠、をもつ保持フレームと、
前記導光板の背面側に配置され中央側が両端側より表示面側に突出するように湾曲した形状を有する背面板、をもつ下フレームと、
を備え、
前記支持枠は第１曲率半径で湾曲しており、前記導光板は第２曲率半径で湾曲しており、前記背面板は第３曲率半径で湾曲しており、
前記第１曲率半径と、前記第２曲率半径と、前記第３曲率半径とは、この順に小さくなっている、
ことを特徴とする表示装置。
【請求項２】
中央側が両端側より背面側に突出するように湾曲して形成されている曲面状の表示パネルと、
前記表示パネルの背面側に配置され、中央側が両端側より背面側に突出するように湾曲した形状を有する導光板と、
前記表示パネルと前記導光板との間に配置されて前記表示パネルを背面側から支持すると共に中央側が両端側より背面側に突出するように湾曲した形状を有する支持枠、をもつ保持フレームと、
前記導光板の背面側に配置され中央側が両端側より背面側に突出するように湾曲した形状を有する背面板、をもつ下フレームと、
を備え、
前記支持枠は第１曲率半径で湾曲しており、前記導光板は第２曲率半径で湾曲しており、前記背面板は第３曲率半径で湾曲しており、
前記第１曲率半径と、前記第２曲率半径と、前記第３曲率半径とは、この順に大きくなっている、
ことを特徴とする表示装置。
【請求項３】
前記支持枠と前記背面板との間に配置され、前記導光板の両端部を挟み込むクッション部材をさらに備える、
ことを特徴とする請求項１または２に記載の表示装置。
【請求項４】
中央側が両端側より表示面側に突出するように湾曲して形成されている曲面状の表示パネルと、
前記表示パネルの背面側に配置され、中央側が両端側より表示面側に突出するように湾曲した形状を有する導光板と、
前記表示パネルと前記導光板との間に配置されて前記表示パネルを背面側から支持すると共に中央側が両端側より表示面側に突出するように湾曲した形状を有する支持枠、をもつ保持フレームと、
前記導光板の背面側に配置され中央側が両端側より表示面側に突出するように湾曲した形状を有する背面板、をもつ下フレームと、
前記支持枠と前記背面板との間に配置され、前記導光板の両端部を保持する保持部材と、
を備え、
前記支持枠は第１曲率半径で湾曲しており、前記導光板は第２曲率半径で湾曲しており、前記背面板は第３曲率半径で湾曲しており、
前記第１曲率半径と、前記第２曲率半径と、前記第３曲率半径とは、この順に大きくなっている、
ことを特徴とする表示装置。
【請求項５】
中央側が両端側より背面側に突出するように湾曲して形成されている曲面状の表示パネルと、
前記表示パネルの背面側に配置され、中央側が両端側より背面側に突出するように湾曲した形状を有する導光板と、
前記表示パネルと前記導光板との間に配置されて前記表示パネルを背面側から支持すると共に中央側が両端側より背面側に突出するように湾曲した形状を有する支持枠、をもつ保持フレームと、
前記導光板の背面側に配置され中央側が両端側より背面側に突出するように湾曲した形状を有する背面板、をもつ下フレームと、
前記支持枠と前記背面板との間に配置され、前記導光板の両端部を保持する保持部材と、
を備え、
前記支持枠は第１曲率半径で湾曲しており、前記導光板は第２曲率半径で湾曲しており、前記背面板は第３曲率半径で湾曲しており、
前記第１曲率半径と、前記第２曲率半径と、前記第３曲率半径とは、この順に小さくなっている、
ことを特徴とする表示装置。
【請求項６】
中央側が両端側より表示面側に突出するように湾曲して形成されている曲面状の表示パネルと、
前記表示パネルの背面側に配置され、中央側が両端側より表示面側に突出するように湾曲した形状を有する導光板と、
前記表示パネルと前記導光板との間に配置されて前記表示パネルを背面側から支持する支持枠をもつ保持フレームと、
前記導光板の背面側に配置された背面板をもつ下フレームと、
前記支持枠と前記背面板との間に配置され、前記導光板の両端部を保持するクッション部材と、
を備えることを特徴とする表示装置。
【請求項７】
中央側が両端側より背面側に突出するように湾曲して形成されている曲面状の表示パネルと、
前記表示パネルの背面側に配置され、中央側が両端側より背面側に突出するように湾曲した形状を有する導光板と、
前記表示パネルと前記導光板との間に配置されて前記表示パネルを背面側から支持する支持枠をもつ保持フレームと、
前記導光板の背面側に配置された背面板をもつ下フレームと、
前記支持枠と前記背面板との間に配置され、前記導光板の両端部を保持するクッション部材と、
を備えることを特徴とする表示装置。
【請求項８】
前記クッション部材が前記導光板の両端部を挟み込むようにして前記導光板を前記支持枠と前記背面板との間で保持している、
ことを特徴とする請求項６または７に記載の表示装置。
【請求項９】
前記クッション部材には、前記導光板の端部を受け入れる溝が形成され、
前記溝は、前記導光板の曲率に沿って曲がっている、
ことを特徴とする請求項６または７に記載の表示装置。
【発明の詳細な説明】
【技術分野】
【０００１】
本発明は、表示装置に関し、特には曲面形状を有する表示装置に関する。
【背景技術】
【０００２】
近年、表示装置の表示面が湾曲した形状を有する曲面形状を有する表示装置が開発されている。特許文献１には、同一の曲率半径で形成されている上フレームと、導光板と、下フレームとが組み込まれた曲面形状を有する表示装置が開示されている。
【先行技術文献】
【特許文献】
【０００３】
【特許文献１】特開２０１５−１９７６８０号公報
【発明の概要】
【発明が解決しようとする課題】
【０００４】
表示面がフラットな形状を有する表示装置では、導光板の熱膨張により平面方向に導光板が変形するが、曲面形状を有する表示装置では、表示装置の厚み方向に導光板が変形し易くなる。導光板が厚み方向に変形すると、表示パネルに圧力が加わり、表示品位の低下につながる可能性がある。
【０００５】
本発明は、上記課題に鑑みて為されたものであり、曲面形状を有する表示装置において、導光板の熱膨張による変形に起因する表示品位の低下を抑えることにある。
【課題を解決するための手段】
【０００６】
上記課題を解決するために、本発明の表示装置は、中央側が両端側より表示面側に突出するように湾曲して形成されている曲面状の表示パネルと、前記表示パネルの背面側に配置され、中央側が両端側より表示面側に突出するように湾曲した形状を有する導光板と、前記表示パネルと前記導光板との間に配置されて前記表示パネルを背面側から支持すると共に中央側が両端側より表示面側に突出するように湾曲した形状を有する支持枠、をもつ保持フレームと、前記導光板の背面側に配置され中央側が両端側より表示面側に突出するように湾曲した形状を有する背面板、をもつ下フレームと、を備え、前記支持枠は第１曲率半径で湾曲しており、前記導光板は第２曲率半径で湾曲しており、前記背面板は第３曲率半径で湾曲しており、前記第１曲率半径と、前記第２曲率半径と、前記第３曲率半径とは、この順に小さくなっている、ことを特徴とする。
【０００７】
上記課題を解決するために、本発明の表示装置は、中央側が両端側より背面側に突出するように湾曲して形成されている曲面状の表示パネルと、前記表示パネルの背面側に配置され、中央側が両端側より背面側に突出するように湾曲した形状を有する導光板と、前記表示パネルと前記導光板との間に配置されて前記表示パネルを背面側から支持すると共に中央側が両端側より背面側に突出するように湾曲した形状を有する支持枠、をもつ保持フレームと、前記導光板の背面側に配置され中央側が両端側より背面側に突出するように湾曲した形状を有する背面板、をもつ下フレームと、を備え、前記支持枠は第１曲率半径で湾曲しており、前記導光板は第２曲率半径で湾曲しており、前記背面板は第３曲率半径で湾曲しており、前記第１曲率半径と、前記第２曲率半径と、前記第３曲率半径とは、この順に大きくなっている、ことを特徴とする。
【０００８】
本発明の表示装置では、前記支持枠と前記背面板との間に配置され、前記導光板の両端部を挟み込むクッション部材をさらに備えていてもよい。
【０００９】
上記課題を解決するために、本発明の表示装置は、中央側が両端側より表示面側に突出するように湾曲して形成されている曲面状の表示パネルと、前記表示パネルの背面側に配置され、中央側が両端側より表示面側に突出するように湾曲した形状を有する導光板と、前記表示パネルと前記導光板との間に配置されて前記表示パネルを背面側から支持すると共に中央側が両端側より表示面側に突出するように湾曲した形状を有する支持枠、をもつ保持フレームと、前記導光板の背面側に配置され中央側が両端側より表示面側に突出するように湾曲した形状を有する背面板、をもつ下フレームと、前記支持枠と前記背面板との間に配置され、前記導光板の両端部を保持する保持部材と、を備え、前記支持枠は第１曲率半径で湾曲しており、前記導光板は第２曲率半径で湾曲しており、前記背面板は第３曲率半径で湾曲しており、前記第１曲率半径と、前記第２曲率半径と、前記第３曲率半径とは、この順に大きくなっている、ことを特徴とする。
【００１０】
上記課題を解決するために、本発明の表示装置は、中央側が両端側より背面側に突出するように湾曲して形成されている曲面状の表示パネルと、前記表示パネルの背面側に配置され、中央側が両端側より背面側に突出するように湾曲した形状を有する導光板と、前記表示パネルと前記導光板との間に配置されて前記表示パネルを背面側から支持すると共に中央側が両端側より背面側に突出するように湾曲した形状を有する支持枠、をもつ保持フレームと、前記導光板の背面側に配置され中央側が両端側より背面側に突出するように湾曲した形状を有する背面板、をもつ下フレームと、前記支持枠と前記背面板との間に配置され、前記導光板の両端部を保持する保持部材と、を備え、前記支持枠は第１曲率半径で湾曲しており、前記導光板は第２曲率半径で湾曲しており、前記背面板は第３曲率半径で湾曲しており、前記第１曲率半径と、前記第２曲率半径と、前記第３曲率半径とは、この順に小さくなっている、ことを特徴とする。
【００１１】
上記課題を解決するために、本発明の表示装置は、中央側が両端側より表示面側に突出するように湾曲して形成されている曲面状の表示パネルと、前記表示パネルの背面側に配置され、中央側が両端側より表示面側に突出するように湾曲した形状を有する導光板と、前記表示パネルと前記導光板との間に配置されて前記表示パネルを背面側から支持する支持枠をもつ保持フレームと、前記導光板の背面側に配置された背面板をもつ下フレームと、前記支持枠と前記背面板との間に配置され、前記導光板の両端部を保持するクッション部材と、を備えることを特徴とする。
【００１２】
上記課題を解決するために、本発明の表示装置は、中央側が両端側より背面側に突出するように湾曲して形成されている曲面状の表示パネルと、前記表示パネルの背面側に配置され、中央側が両端側より背面側に突出するように湾曲した形状を有する導光板と、前記表示パネルと前記導光板との間に配置されて前記表示パネルを背面側から支持する支持枠をもつ保持フレームと、前記導光板の背面側に配置された背面板をもつ下フレームと、前記支持枠と前記背面板との間に配置され、前記導光板の両端部を保持するクッション部材と、を備えることを特徴とする。
【００１３】
本発明の表示装置では、前記クッション部材が前記導光板の両端部を挟み込むようにして前記導光板を前記支持枠と前記背面板との間で保持していてもよい。
【００１４】
本発明の表示装置では、前記クッション部材には、前記導光板の端部を受け入れる溝が形成され、前記溝は、前記導光板の曲率に沿って曲がっていてもよい。
【発明の効果】
【００１５】
本発明によれば、曲面形状を有する表示装置において導光板の熱膨張による変形に起因する表示品位の低下を抑えることができる。
【図面の簡単な説明】
【００１６】
【図１】第１実施形態に係る表示装置の断面図である。
【図２】各実施形態に係る表示装置の平面図である。
【図３】第１実施形態に係る導光板の熱膨張について説明する図である。
【図４】第２実施形態に係る表示装置の断面図である。
【図５】第２実施形態に係る導光板の熱膨張について説明する図である。
【図６】第３実施形態に係る表示装置の断面図である。
【図７】第３実施形態に係る導光板の熱膨張について説明する図である。
【図８】第４実施形態に係る表示装置の断面図である。
【図９】第４実施形態に係る導光板の熱膨張について説明する図である。
【図１０】第５実施形態に係る表示装置の断面図である。
【図１１】第６実施形態に係る表示装置の断面図である。
【発明を実施するための形態】
【００１７】
［第１実施形態］
以下、本発明の実施形態について、図面を用いて説明する。本発明の実施形態では、液晶表示装置を例に挙げるが、本発明に係る表示装置は液晶表示装置に限定されるものではなく、例えば有機ＥＬ表示装置等であってもよい。
【００１８】
図１は、第１実施形態に係る曲面形状を有する表示装置１の断面図である。図１は、図２に示す表示装置１の平面構成において、切断線Ａ−Ａ´で切断した場合の断面構成を示している。なお、以降の各実施形態において示す断面図も図１におけるＡ−Ａ´断面を示すものとする。図１に示すように、第１実施形態に係る表示装置１は、表示パネル２と、導光板３と、保持フレーム４と、下フレーム５と、上フレーム６とを含んで構成されている。
【００１９】
表示パネル２は、ＴＦＴ基板（図示せず）と、対向基板（図示せず）と、両基板間に挟持される液晶層（図示せず）とを含んで構成されている。ＴＦＴ基板及び対向基板は、周知の構成を適用することができる。
【００２０】
導光板３は、光源（図示せず）から照射される光を表示面側から表示パネル２へ向けて出射する。なお、導光板３の背面側には反射シートが配置されており、導光板３の表示面側には光学シートが配置されていてもよい。
【００２１】
保持フレーム４は、表示面側から見て矩形の枠状であり、Ｌ字状またはＴ字状の断面を有している。保持フレーム４は、表示パネル２と導光板３との間に配置され、表示パネル２の周縁を背面側から支持する支持枠４ａを含んでいる。
【００２２】
下フレーム５は、導光板３の背面側を覆うように配置されており、導光板３を支持する背面板５ａを含んでいる。
【００２３】
上フレーム６は、表示面側から見て矩形の枠状であり、表示パネル２の周縁を表示面側から覆うように配置されている。
【００２４】
第１実施形態に係る表示装置１は、表示パネル２が、中央側が両端側より表示面側に突出するように湾曲して形成されている曲面形状を有する表示装置である。また、導光板３は、下フレーム５に固定されずに下フレーム５の背面板５ａの表示面側に載置されている。
【００２５】
図３は、第１実施形態に係る導光板３の熱膨張について説明する図である。導光板３が、中央側が両端側より表示面側に突出するように湾曲して形成されており、導光板３が下フレーム５に固定されていない場合には、導光板３の熱膨張により導光板３の両端部が表示装置１の厚み方向に伸縮し易くなる。例えば、図３に示すように、導光板３の両端部が表示面側方向（図３における上矢印方向）と、背面側方向（図３における下矢印方向）とに伸縮し易くなる。図３に示すように、導光板３の両端部が表示面側方向及び背面側方向に伸縮すると、導光板３の両端部が保持フレーム４または下フレーム５に干渉し易くなり、その結果表示パネル２に圧力が加わり表示品位の低下につながる可能性がある。そこで、第１実施形態では導光板３の両端部の伸縮を吸収するために、導光板３の両端部と下フレーム５の背面板５ａとの間、導光板３の両端部と保持フレーム４の支持枠４ａとの間にクリアランスを設けている。
【００２６】
具体的には、図１に示すように、保持フレーム４の支持枠４ａは、中央側が両端側より表示面側に突出するように、第１曲率半径で湾曲して形成されている。また、導光板３は、中央側が両端側より表示面側に突出するように、第２曲率半径で湾曲して形成されている。また、下フレーム５の背面板５ａは、中央側が両端側より表示面側に突出するように、第３曲率半径で湾曲して形成されている。そして、第１曲率半径と、第２曲率半径と、第３曲率半径とは、この順に小さくなっている（第１曲率半径＞第２曲率半径＞第３曲率半径）。
【００２７】
このように、保持フレーム４の支持枠４ａと、導光板３と、下フレーム５の背面板５ａとを、それぞれの曲率半径を異ならせて湾曲して形成することで、導光板３の両端部と保持フレーム４の支持枠４ａとの間、及び導光板３の両端部と下フレーム５の背面板５ａとの間に、導光板３の変形（伸縮）を吸収し得るクリアランスを設けている。
【００２８】
なお、表示パネル２及び上フレーム６それぞれの曲率半径は、保持フレーム４の支持枠４ａの第１曲率半径と同一であってもよい。
【００２９】
［第２実施形態］
図４は、第２実施形態に係る表示装置１の断面図である。第２実施形態に係る表示装置１は、第１実施形態に係る表示装置１とは、中央側が両端側より背面側に突出するように湾曲して形成されている点に差異があることを除けば、同一のものである。従って、第１実施形態と同等の構成には同符号を付し、重複する説明は省略するものとする。
【００３０】
第２実施形態に係る表示装置１では、表示パネル２が、中央側が両端側より背面側に突出するように湾曲して形成されている。また、導光板３は、下フレーム５に固定されずに下フレーム４の背面板５ａの表示面側に載置されている。
【００３１】
図５は、第２実施形態に係る導光板３の熱膨張について説明する図である。導光板３が、中央側が両端側より背面側に突出するように湾曲して形成されており、導光板３の両端部が固定されていない場合には、導光板３の熱膨張により導光板３の両端部が表示装置１の厚み方向に伸縮し易くなる。例えば、図５に示すように、導光板３の両端部が表示面側方向（図５における上矢印方向）と、背面側方向（図５における下矢印方向）とに伸縮し易くなる。図５に示すように、導光板３の両端部が表示面側方向及び背面側方向に伸縮すると、導光板３の両端部が保持フレーム４または下フレーム５に干渉し易くなり、その結果表示パネル２に圧力が加わり表示品位の低下につながる可能性がある。そこで、第２実施形態では導光板３の両端部の伸縮を吸収するために、導光板３の両端部と下フレーム５の背面板５ａとの間、導光板３の両端部と保持フレーム４の支持枠４ａとの間にクリアランスを設けている。
【００３２】
具体的には、図４に示すように、保持フレーム４の支持枠４ａは、中央側が両端側より背面側に突出するように、第１曲率半径で湾曲して形成されている。また、導光板３は、中央側が両端側より背面側に突出するように、第２曲率半径で湾曲して形成されている。また、下フレーム５の背面板５ａは、中央側が両端側より背面側に突出するように、第３曲率半径で湾曲して形成されている。そして、第１曲率半径と、第２曲率半径と、第３曲率半径とは、この順に大きくなっている（第１曲率半径＜第２曲率半径＜第３曲率半径）。
【００３３】
このように、保持フレーム４の支持枠４ａと、導光板３と、下フレーム５の背面板５ａとを、それぞれの曲率半径を異ならせて湾曲して形成することで、導光板３の両端部と保持フレーム４の支持枠４ａとの間、及び導光板３の両端部と下フレーム５の背面板５ａとの間に、導光板３の変形（伸縮）を吸収し得るクリアランスを設けている。
【００３４】
［第３実施形態］
図６は、第３実施形態に係る表示装置１の断面図である。第３実施形態に係る表示装置１は、第１実施形態に係る表示装置１とは、導光板１３の端部が保持されている点に差異があることを除けば、同一のものである。従って、第１実施形態と同等の構成には同符号を付し、重複する説明は省略するものとする。
【００３５】
第３実施形態に係る表示装置１では、表示パネル２が、中央側が両端側より表示面側に突出するように湾曲して形成されている。また、導光板３の両端部は、保持部材７により保持されている。保持部材７は、導光板３の端部を受け入れる溝７ａを有している。保持部材７は、例えばクッション部材等であって、導光板３の両端部を挟み込むようにして導光板３を保持フレーム４と下フレーム５との間で保持している。なお、保持部材７は、ねじや嵌合部材等であってもよく、導光板３の両端部と下フレーム５とを固定してもよい。保持部材７は、導光板３の周囲を囲うように４辺に配置されてもよく、この場合、導光板３における湾曲した端部を受け入れる溝７ａは、導光板３と同一の曲率半径で湾曲している。
【００３６】
図７は、第３実施形態に係る導光板３の熱膨張について説明する図である。導光板３が、中央側が両端側より表示面側に突出するように湾曲して形成されており、導光板３の両端部が保持部材７により保持されている場合には、導光板３の熱膨張により導光板３の中央部が表示装置１の厚み方向に伸縮し易くなる。例えば、図７に示すように、導光板３の中央部が表示面側方向（図７における上矢印方向）と、背面側方向（図７における下矢印方向）とに伸縮し易くなる。図７に示すように、導光板３の中央部が表示面側方向及び背面側方向に伸縮すると、導光板３の中央部が保持フレーム４または下フレーム５に干渉し易くなり、その結果表示パネル２に圧力が加わり表示品位の低下につながる可能性がある。そこで、第３実施形態では導光板３の中央部の伸縮を吸収するために、導光板３の中央部と下フレーム５の背面板５ａとの間、導光板３の中央部と保持フレーム４の支持枠４ａとの間にクリアランスを設けている。
【００３７】
具体的には、図６に示すように、保持フレーム４の支持枠４ａは、中央側が両端側より表示面側に突出するように、第１曲率半径で湾曲して形成されている。また、導光板３は、中央側が両端側より表示面側に突出するように、第２曲率半径で湾曲して形成されている。また、下フレーム５の背面板５ａは、中央側が両端側より表示面側に突出するように、第３曲率半径で湾曲して形成されている。そして、第１曲率半径と、第２曲率半径と、第３曲率半径とは、この順に大きくなっている（第１曲率半径＜第２曲率半径＜第３曲率半径）。
【００３８】
このように、保持フレーム４の支持枠４ａと、導光板３と、下フレーム５の背面板５ａとを、それぞれの曲率半径を異ならせて湾曲して形成することで、導光板３の中央部と保持フレーム４の支持枠４ａとの間、及び導光板３の中央部と下フレーム５の背面板５ａとの間に、導光板３の変形（伸縮）を吸収し得るクリアランスを設けている。
【００３９】
［第４実施形態］
図８は、第４実施形態に係る表示装置１の断面図である。第４実施形態に係る表示装置１は、第３実施形態に係る表示装置１とは、中央側が両端側より背面側に突出するように湾曲して形成されている点に差異があることを除けば、同一のものである。従って、第３実施形態と同等の構成には同符号を付し、重複する説明は省略するものとする。
【００４０】
第４実施形態に係る表示装置１では、表示パネル２が、中央側が両端側より背面側に突出するように湾曲して形成されている。また、導光板３の両端部は、保持部材７により保持されている。
【００４１】
図９は、第４実施形態に係る導光板３の熱膨張について説明する図である。導光板３が、中央側が両端側より背面側に突出するように湾曲して形成されており、導光板３の両端部が保持部材７により保持されている場合には、導光板３の熱膨張により導光板３の中央部が表示装置１の厚み方向に伸縮し易くなる。例えば、図９に示すように、導光板３の中央部が表示面側方向（図９における上矢印方向）と、背面側方向（図９における下矢印方向）とに伸縮し易くなる。図９に示すように、導光板３の中央部が表示面側方向及び背面側方向に伸縮すると、導光板３の中央部が保持フレーム４または下フレーム５に干渉し易くなり、その結果表示パネル２に圧力が加わり表示品位の低下につながる可能性がある。そこで、第３実施形態では導光板３の中央部の伸縮を吸収するために、導光板３の中央部と下フレーム５の背面板５ａとの間、導光板３の中央部と保持フレーム４の支持枠４ａとの間にクリアランスを設けている。
【００４２】
具体的には、図８に示すように、保持フレーム４の支持枠４ａは、中央側が両端側より背面側に突出するように、第１曲率半径で湾曲して形成されている。また、導光板３は、中央側が両端側より背面側に突出するように、第２曲率半径で湾曲して形成されている。また、下フレーム５の背面板５ａは、中央側が両端側より背面側に突出するように、第３曲率半径で湾曲して形成されている。そして、第１曲率半径と、第２曲率半径と、第３曲率半径とは、この順に小さくなっている（第１曲率半径＞第２曲率半径＞第３曲率半径）。
【００４３】
このように、保持フレーム４の支持枠４ａと、導光板３と、下フレーム５の背面板５ａとを、それぞれの曲率半径を異ならせて湾曲して形成することで、導光板３の中央部と保持フレーム４の支持枠４ａとの間、及び導光板３の中央部と下フレーム５の背面板５ａとの間に、導光板３の変形（伸縮）を吸収し得るクリアランスを設けている。
【００４４】
上記実施形態１及び２に係る表示装置１では、導光板３の両端部は保持されていないが、これに限定されず、上記実施形態３及び４に示した、溝７ａを有する保持部材７により保持されていてもよい。保持部材７は、導光板３の両端部を挟み込むようにして導光板３を保持フレーム４の支持枠４ａと下フレーム５の背面板５ａとの間で保持する。尚、実施形態１及び２に係る表示装置１では、保持部材７はクッション部材であることが好ましい。これにより、導光板３の変形（伸縮）をクッション部材により吸収することもできる。
【００４５】
［第５実施形態］
図１０は、第５実施形態に係る表示装置１の断面図である。第５実施形態に係る表示装置１は、第３実施形態に係る表示装置１と同一の構成には同符号を付し、重複する説明は省略するものとする。第５実施形態に係る表示装置１は、保持フレーム４の支持枠４ａの第１曲率半径と、導光板３の第２曲率半径と、下フレーム５の背面板５ａの第３曲率半径とが、例えば互いに同一で、中央側が両端側より表示面側に突出するように湾曲して形成されている。また、表示パネル２が、中央側が両端側より表示面側に突出するように湾曲して形成されている。
【００４６】
導光板３の両端部は、クッション部材から成る保持部材７により保持されている。保持部材７は、導光板３の端部を受け入れる溝７ａを有している。保持部材７は、導光板３の両端部を挟み込むようにして導光板３を保持フレーム４と下フレーム５との間で保持している。また保持部材７は、導光板３の周囲を囲うように４辺に配置されてもよく、この場合、導光板３における湾曲した端部を受け入れる溝７ａは、導光板３と同一の曲率半径で湾曲している。
【００４７】
このように、導光板３をクッション部材で保持することにより、導光板３の中央部と保持フレーム４の支持枠４ａとの間、及び導光板３の中央部と下フレーム５の背面板５ａとの間に、導光板３の変形（伸縮）を吸収し得るクリアランスを設けている。
【００４８】
なお、第１曲率半径と、第２曲率半径と、第３曲率半径とが、互いに異なっていてもよい。
【００４９】
［第６実施形態］
図１１は、第６実施形態に係る表示装置１の断面図である。第６実施形態に係る表示装置１は、第４実施形態に係る表示装置１と同一の構成には同符号を付し、重複する説明は省略するものとする。第６実施形態に係る表示装置１は、保持フレーム４の支持枠４ａの第１曲率半径と、導光板３の第２曲率半径と、下フレーム５の背面板５ａの第３曲率半径とが、例えば互いに同一で、中央側が両端側より背面側に突出するように湾曲して形成されている。また、表示パネル２が、中央側が両端側より背面側に突出するように湾曲して形成されている。
【００５０】
導光板３の両端部は、クッション部材から成る保持部材７により保持されている。保持部材７は、導光板３の端部を受け入れる溝７ａを有している。保持部材７は、導光板３の両端部を挟み込むようにして導光板３を保持フレーム４と下フレーム５との間で保持している。また保持部材７は、導光板３の周囲を囲うように４辺に配置されてもよく、この場合、導光板３における湾曲した端部を受け入れる溝７ａは、導光板３と同一の曲率半径で湾曲している。
【００５１】
このように、導光板３をクッション部材で保持することにより、導光板３の中央部と保持フレーム４の支持枠４ａとの間、及び導光板３の中央部と下フレーム５の背面板５ａとの間に、導光板３の変形（伸縮）を吸収し得るクリアランスを設けている。
【００５２】
なお、第１曲率半径と、第２曲率半径と、第３曲率半径とが、互いに異なっていてもよい。
【００５３】
以上、本発明の実施の形態について説明したが、本発明は上記各実施の形態に限定されるものではなく、本発明の趣旨を逸脱しない範囲内で上記実施の形態から当業者が適宜変更した形態も本発明の技術的範囲に含まれることは言うまでもない。
【符号の説明】
【００５４】
１  表示装置、２  表示パネル、３  導光板、４  保持フレーム、４ａ  支持枠、５  下フレーム、５ａ  背面板、６  上フレーム、７  保持部材、７ａ  溝。
【図１】
2017181817.tif 000003
【図２】
2017181817.tif 000004
【図３】
2017181817.tif 000005
【図４】
2017181817.tif 000006
【図５】
2017181817.tif 000007
【図６】
2017181817.tif 000008
【図７】
2017181817.tif 000009
【図８】
2017181817.tif 000010
【図９】
2017181817.tif 000011
【図１０】
2017181817.tif 000012
【図１１】
2017181817.tif 000013